(57)【要約】  上下方向よりも左右方向に長い第１の像と、左右方向よりも上下方向に長い第２の像との少なくともいずれか一方を含む表示像を投影する表示装置であって、表示像と、表示像に対してずれ方向にずれて視認されるゴースト像との、ずれ量に応じて、第１の像と、第２の像との少なくともいずれか一方の幅を変化させた表示像を生成する制御部と、制御部が生成した前記表示像を投影するための表示光を出射する画像表示部とを有する。
2017056217.tif 000002
【特許請求の範囲】
【請求項１】
上下方向よりも左右方向に長い第１の像と、左右方向よりも上下方向に長い第２の像との少なくともいずれか一方を含む表示像を投影する表示装置であって、
前記表示像と、前記表示像に対してずれ方向にずれて視認されるゴースト像との、ずれ量に応じて、前記第１の像と、前記第２の像との少なくともいずれか一方の幅を変化させた前記表示像を生成する制御部と、
前記制御部が生成した前記表示像を投影するための表示光を出射する画像表示部と、
を有する、表示装置。
【請求項２】
請求項１に記載の表示装置において、
前記制御部は、前記表示像と前記ゴースト像との前記ずれ量が前記第２の像の前記幅を超えない場合に、前記第２の像の前記幅を前記ずれ量だけ細くした前記表示像を生成する、表示。
【請求項３】
請求項１に記載の表示装置において、
前記制御部は、前記表示像と前記ゴースト像との前記ずれ量が前記第２の像の前記幅を超えない場合に、前記第１の像の前記幅を前記ずれ量だけ太くした前記表示像を生成する、表示装置。
【請求項４】
請求項１に記載の表示装置において、
前記制御部は、前記表示像と前記ゴースト像との前記ずれ量が前記第２の像の前記幅を超えない場合に、前記第２の像の前記幅を細くし、前記第１の像の前記幅を太くした前記表示像を生成する、表示装置。
【請求項５】
請求項１に記載の表示装置において、
前記制御部は、前記表示像と前記ゴースト像との前記ずれ量が前記第２の像の前記幅を超える場合に、前記第２の像の前記幅と前記第１の像の前記幅とを太くし、前記第２の像の長さと前記第１の像の長さとを長くする、表示装置。
【請求項６】
請求項１に記載の表示装置において、
前記表示像の、前記ずれ方向側のずれ量分の領域に、前記ずれ方向に向けて前記表示像の色から段階的に輝度を下げる変化させた表示像を生成する、表示装置。
【請求項７】
上下方向よりも左右方向に長い第１の像と、左右方向よりも上下方向に長い第２の像との少なくともいずれか一方を含む表示像を投影する表示装置における表示像投影方法であって、
制御部が、前記表示像と、前記表示像に対してずれ方向にずれて視認されるゴースト像との、ずれ量に応じて、前記第１の像と、前記第２の像との少なくともいずれか一方の幅を変化させた前記表示像を生成する表示像生成ステップと、
画像表示部が、前記制御部が生成した前記表示像を投影するための表示光を出射する表示光出射ステップと、
を有する、表示像投影方法。
【請求項８】
表示像を投影するための表示光を出射する表示装置と、
前記表示装置により出射された前記表示光を反射する偏光装置と、
前記偏光装置により反射された前記表示光を車両のフロントガラスに向けて出射する光学素子と、
運転者の瞳の位置を特定するための瞳位置情報を算出する瞳位置検出部と、
前記瞳位置情報に基づき、前記光学素子の高さを前記二重像が発生しない位置まで移動させる制御部と、
を有する、ヘッドアップディスプレイ。
【発明の詳細な説明】
【技術分野】
【０００１】
本発明は、表示装置および表示像投影方法ならびにヘッドアップディスプレイに関する。
【背景技術】
【０００２】
運転者の視野の移動を抑え安全性を高めるために、速度や各種警告表示をフロントガラスに投影し、投影された表示像を車両前方の風景に重畳させて表示させるヘッドアップディスプレイ（ＨＵＤ）が提案されている。【０００３】
特開２０１５−１０２６９５号公報（特許文献１）には、「表示装置は、像を表す表示光を透明部材に向けて出射し、前記透明部材で反射した表示光により前記像の虚像を表示する表示装置であって、前記像を表す表示光を出射する表示手段と、前記表示手段から出射された表示光が入射し、入射した表示光を透過させて出射する光学素子であって、入射光の光軸に対する出射光の光軸の角度を変化させることで前記透明部材に向けて表示光を出射する光学素子と、を備え、前記光学素子は平行移動可能であり、前記光学素子の平行移動に応じて、前記光学素子から出射されて前記透明部材で反射する表示光の光路が変化する」技術が記載されている。【０００４】
また、特開２０１２−８３５３４号公報（特許文献２）には、「画像を形成する表示手段と、前記表示手段から投射された表示光を反射する透明表示板とを備え、前記表示手段は、ユーザに提示する文字や記号等の主表示要素を生成する主画像生成手段と、前記主表示要素の位置、輝度、サイズ、色の少なくとも一つを変化させて、一つ以上の補助要素を生成する補助要素生成手段と、前記主表示要素に前記補助要素を一つ以上重ねて表示像を生成する」技術が記載されている。
【先行技術文献】
【特許文献】
【０００５】
【特許文献１】特開２０１５−１０２６９５号公報
【特許文献２】特開２０１２−８３５３４号公報
【発明の概要】
【発明が解決しようとする課題】
【０００６】
特許文献１に記載されている技術では、視点の高さが異なるユーザに対して、同等の位置に文字や記号などの表示像（虚像）を表示することが可能になる。しかしながら特許文献１に記載されている技術では、表示光の屈折により二重像が発生し、表示像の視認性が低下する可能性がある。【０００７】
また、特許文献２に記載されている技術では、表示像（表示要素）に対して補助要素を重ねて表示することで、あたかも表示像に厚みがついたような立体的な表現となり、二重像を目立たなくできる。しかしながら、特許文献２に記載されている技術では、補助要素を重ねることで、表示像の形状が変形してしまい、表示像の視認性が低下する可能性がある。【０００８】
本発明の目的は、表示装置により投影される表示像の視認性を向上可能にする技術を提供することである。
【課題を解決するための手段】
【０００９】
本願において開示される発明のうち、代表的なものの概要を簡単に説明すれば、次の通りである。【００１０】
本発明の一実施の形態の表示装置は、上下方向よりも左右方向に長い第１の像と、左右方向よりも上下方向に長い第２の像との少なくともいずれか一方を含む表示像を投影する表示装置であって、前記表示像と、前記表示像に対してずれ方向にずれて視認されるゴースト像との、ずれ量に応じて、前記第１の像と、前記第２の像との少なくともいずれか一方の幅を変化させた前記表示像を生成する制御部を有する。また、前記制御部が生成した前記表示像を投影するための表示光を出射する画像表示部を有する。【００１１】
また、本発明の一実施の形態の表示像投影方法は、上下方向よりも左右方向に長い第１の像と、左右方向よりも上下方向に長い第２の像との少なくともいずれか一方を含む表示像を投影する表示装置における表示像投影方法であって、制御部が、前記表示像と、前記表示像に対してずれ方向にずれて視認されるゴースト像との、ずれ量に応じて、前記第１の像と、前記第２の像との少なくともいずれか一方の幅を変化させた前記表示像を生成する表示像生成ステップを有する。また、画像表示部が、前記制御部が生成した前記表示像を投影するための表示光を出射する表示光出射ステップを有する。【００１２】
また、本発明の一実施の形態のヘッドアップディスプレイは、表示像を投影するための表示光を出射する表示装置と、前記表示装置により出射された前記表示光を反射する偏光装置と、前記偏光装置により反射された前記表示光を車両のフロントガラスに向けて出射する光学素子と、運転者の瞳の位置を特定するための瞳位置情報を算出する瞳位置検出部と、前記瞳位置情報に基づき、前記光学素子の高さを前記二重像が発生しない位置まで移動させる制御部と、を有する。
【発明の効果】
【００１３】
本願において開示される発明のうち、代表的なものによって得られる効果を簡単に説明すれば以下のとおりである。【００１４】
本発明の代表的な実施の形態によれば、表示装置により投影される表示像の視認性が向上する。
【図面の簡単な説明】
【００１５】
【図１】実施の形態１におけるヘッドアップディスプレイの構成例の概要を示す図である。
【図２】実施の形態１における表示装置の構成例の概要を示すブロック図である。
【図３】（ａ）〜（ｃ）は、実施の形態１における表示例を示す図であり、（ａ）は、フォント処理前の表示例、（ｂ）は、第１のフォント処理後の表示例、（ｃ）は、第２のフォント処理後の表示例を示す図である。
【図４】（ａ）〜（ｃ）は、実施の形態１における表示例を示す図であり、（ａ）は、フォント処理前の表示例、（ｂ）は、第１のフォント処理後の表示例、（ｃ）は、第２のフォント処理後の他の表示例を示す図である。
【図５】（ａ）、（ｂ）は、実施の形態１における表示例を示す図であり、（ａ）は、フォント処理前の表示例、（ｂ）は、第１のフォント処理後の表示例を示す図である。
【図６】（ａ）、（ｂ）は、実施の形態１における表示例を示す図であり、（ａ）は、第２のフォント処理後の表示例、（ｂ）は、第３のフォント処理後の表示例を示す図である。
【図７】（ａ）、（ｂ）は、実施の形態１における表示例を示す図であり、（ａ）は、フォント処理前の表示例、（ｂ）は、第４のフォント処理後の表示例を示す図である。
【図８】（ａ）、（ｂ）は、第４のフォント処理を説明する図であり、（ａ）は、ずれが発生している領域を抽出する処理、（ｂ）は、グラデーション適用領域にグラデーションをかける処理を説明する図である。
【図９】実施の形態１における表示装置の全体処理の概要を示す図である。
【図１０】従来のヘッドアップディスプレイの構成例の概要を示す図である。
【図１１】実施の形態２におけるヘッドアップディスプレイの構成例の概要を示す図である。
【図１２】実施の形態２におけるヘッドアップディスプレイの構成例の概要を示す図である。
【図１３】実施の形態２におけるヘッドアップディスプレイの構成例の概要を示す図である。
【図１４】実施の形態２におけるヘッドアップディスプレイの構成例の概要を示すブロック図である。
【発明を実施するための形態】
【００１６】
以下、本発明の実施の形態を図面に基づいて詳細に説明する。なお、実施の形態を説明するための全図において、同一部には原則として同一の符号を付し、その繰り返しの説明は省略する。
（実施の形態１）
＜ヘッドアップディスプレイ＞
図１は、実施の形態１におけるヘッドアップディスプレイの構成例の概要を示す図である。以下、運転者から見ての上下方向を表示像１２０４の上下方向として説明し、運転者から見ての左右方向を表示像１２０４の左右方向として説明する。
【００１７】
図１に示されるように、表示光１１，１２が投影される透過部材であるフロントガラス１２０は、外側ガラス１２００と、内側ガラス１２０２と、外側ガラス１２００と内側ガラス１２０２とにより挟まれる中間膜１２０１とが互いに接合されることで構成される。フロントガラス１２０は、例えば、車両を運転する運転者の前方に位置する。
【００１８】
ヘッドアップディスプレイが、例えばナビゲーション装置に組み込まれる場合、その動作は、以下の通りである。例えばナビゲーション装置における交通情報などからなる画像は、表示像１２０４としてフロントガラス１２０に投影される。フロントガラス１２０に投影された表示光１２は、フロントガラス１２０で反射され、運転者の瞳１２０５に入射する。そして、運転者は、例えばナビゲーション装置における交通情報などからなる表示像１２０４を、車両の前方の風景と重ねて視認できる。
【００１９】
表示装置１０と偏光装置２０とは、例えば、ダッシュボードの内部に格納される。表示装置１０は、例えば、液晶素子や光源を有する。そして、表示装置１０は、ナビゲーション装置における交通情報や速度や各種警告表示などからなる表示像１２０４を車両のフロントガラス１２０に投影されるための表示光１１，１２を生成し、生成した表示光１１，１２をミラーなどで構成される偏光装置２０へと射出する。
【００２０】
表示装置１０が射出した表示光１１，１２は、偏光装置２０へ照射される。その後、偏光装置２０へ照射された表示光１１，１２はフロントガラス１２０に向けて反射される。そして、偏光装置２０により反射される表示光１１，１２は、内側ガラス１２０２へと入射する。
【００２１】
内側ガラス１２０２へ入射した表示光１１，１２のうち、表示光１２は、内側ガラス１２０２の表面により反射されることで瞳１２０５に入射する。これによって、運転者は、表示像１２０４を視認する。一方、内側ガラス１２０２へ入射した表示光１１，１２のうち、表示光１１は、外側ガラス１２００の裏面により反射されることで瞳１２０５に入射する。これによって、運転者は、ゴースト像１２０３を視認する。このように、瞳１２０５に到達する光路が２つあり、運転者は表示像１２０４とゴースト像１２０３とを上下に二重に重ねて視認してしまう。
【００２２】
＜表示装置＞
図２は、実施の形態１における表示装置１０の構成例の概要を示す図である。図２に示されるように、表示装置１０は、画像表示部１００と、制御部２００とを有する。
【００２３】
また、表示装置１０には、所定のハードウェアおよびソフトウェアが実装される。例えば、表示装置１０は、プロセッサやメモリなどを有し、プロセッサによるメモリ上のプログラムの実行により、表示装置１０のコンピュータを機能させる。
【００２４】
制御部２００は、瞳位置検出部２１０と、フォント処理部２２０と、二重像ずれ量算出部２３０とを有する。
【００２５】
制御部２００は、表示像と、表示像に対してずれ方向にずれて視認されるゴースト像との、ずれ量ｍに応じて、左右方向に伸びる（上下方向よりも左右方向に長い）第１の像と、上下方向に伸びる（左右方向よりも上下方向に長い）第２の像との少なくともいずれか一方の幅を変化（短手方向に変化）させた表示像を生成する。なお、表示像に含まれる第１の像（横線）は、水平方向（左右方向）に伸びる直線や曲線や交通情報の内容を表す図形（例えば、矢印）である。また、表示像に含まれる伸びる第２の像（縦線）は、垂直方向（上下方向）に伸びる直線や曲線や交通情報の内容を表す（例えば、矢印）である。
【００２６】
制御部２００の瞳位置検出部２１０は、例えば、撮像部（撮像部は、車両のバックミラーやメーターパネルなどに、撮像素子が運転者の方向に向けられた状態で取り付けられる）から入力された運転者の瞳を含む画像の画像データを解析することで瞳の位置を検出する。また、瞳位置検出部２１０は、検出した瞳の位置を特定するための瞳位置座標を算出する。そして、瞳位置検出部２１０は、算出した瞳位置座標を二重像ずれ量算出部２３０に入力する。なお、瞳位置検出部２１０は、車両のミラー（バックミラー）の取付位置（ミラーが取り付けられる位置を特定するための三次元座標により特定される）と、水平面を基準とするミラーの上下方向の角度と、ミラーと直交する垂直面を基準とするミラーの左右方向の角度と基づいて瞳位置座標を算出しても良い。
【００２７】
制御部２００の二重像ずれ量算出部２３０は、瞳位置検出部２１０から入力された瞳位置座標と、偏光装置の位置と傾き（水平面に対する傾き）と、フロントガラスの傾き（水平面に対する傾き）と、フロントガラスの厚さとに基づき、表示像とゴースト像とのずれ量ｍを算出する。二重像ずれ量算出部２３０は、算出したずれ量ｍをフォント処理部２２０に入力する
図３（ａ）〜（ｃ）はフォント処理の例を説明する図である。以下では、ずれ量ｍが、縦線１２１０の幅と横線１２１１の幅であるｔの半分の値以下である場合のフォント処理について説明する。図３（ａ）〜（ｃ）に示されるように、表示像１２０４は、左右方向に伸びる第１の像である横線１２１１と、上下方向に伸びる第２の像である縦線１２１０とを含む。なお、表示像１２０４は、必ずしも、左右方向に伸びる第１の像と、上下方向に伸びる第２の像とを含んでいるとは限らず、少なくともいずれか一方を含む。
【００２８】
図３（ａ）は、フォント処理前の表示例を示す図である。図３（ａ）に示される例では、表示像１２０４に対してゴースト像１２０３が、ずれ方向に、ずれ量ｍだけ上方にずれて視認される。ずれ量ｍは、例えば、表示像１２０４の各部（右上角１３０１や左下角１３０２など）からゴースト像１２０３の対応する各部（右上角１４０１や左下角など）までの距離である。より詳細には、例えば、表示像の右上角１３０１からゴースト像の右上角１４０１までの距離が、ずれ量ｍとなる。
【００２９】
図３（ａ）に示される例では、制御部２００のフォント処理部２２０に入力されるずれ量ｍは、表示像１２０４の縦線１２１０の幅と横線１２１１の幅であるｔの半分の値（ｔに０．５を乗算した値）以下である。そして、表示像１２０４を構成する縦線１２１０と横線１２１１との上方には、ずれ量ｍのゴースト像１２０３が視認される。
【００３０】
また、縦線１２１０の幅がｔで視認されるのに対し、横線１２１１は、上方のゴースト像１２０３と一体で、幅ｔとずれ量ｍとを合算した幅Ｔで視認される。そのため、図３（ａ）に示される例では、縦線１２１０の幅よりも、ゴースト像１２０３と一体で表示される横線１２１１の幅の方が太く視認されるようになり、縦線１２１０と横線１２１１との幅が異なるため、運転者に違和感を与えてしまう。
【００３１】
図３（ｂ）は、第１のフォント処理後の表示例を示す図である。ずれ量ｍがｔの半分の値以下である場合、制御部２００のフォント処理部２２０は、入力されたずれ量ｍに応じて、横線（第１の像）１２１１の幅を変更した表示像１２０４を生成する第１のフォント処理を行う。詳細には、フォント処理部２２０は、横線１２１１の幅をずれ量ｍだけ細くした表示像１２０４を生成する。なお、フォント処理部２２０は、横線１２１１の幅を上方向に細くしても良いし、下方向に細くしても良い。
【００３２】
これによって、幅ｔ−ｍの横線１２１１は、上方の幅ｍのゴースト像１２０３と一体で幅ｔで視認される。そして、ゴースト像１２０３と一体で表示される横線１２１１の幅は、縦線１２１０の幅と同じ幅で視認されるようになり、運転者に与える違和感を少なくできる。
【００３３】
なお、図３（ｃ）に示されるように、ずれ量ｍがｔの半分の値以下である場合、フォント処理部２２０は、入力されたずれ量ｍに応じて、縦線（第２の像）１２１１の幅を変更した表示像１２０４を生成する第２のフォント処理を行うようにしても良い。詳細には、フォント処理部２２０は、縦線１２１０の幅をずれ量ｍだけ太くした表示像１２０４を生成する。
【００３４】
これによって、幅ｔの横線１２１１は、上方の幅ｍのゴースト像１２０３と一体で幅ｔ＋ｍで視認される。そして、ゴースト像１２０３と一体で表示される横線１２１１の幅は、縦線１２１０の幅と同じ幅で視認されるようになり、運転者に与える違和感を少なくできる。なお、フォント処理部２２０は、縦線１２１０の幅を左方向に太くしても良いし、右方向に太くしても良い。
【００３５】
次に、ずれ量ｍが、縦線１２１０の幅と横線１２１１の幅であるｔの半分の値以上であって、ｔ未満である場合のフォント処理について図４（ａ）〜（ｃ）を用いて説明する。
【００３６】
図４（ａ）は、フォント処理前の表示例を示す図である。図４（ａ）に示される例では、表示像１２０４に対してゴースト像１２０３が、ずれ量ｍだけ上方にずれて視認される。図４（ａ）に示される例にて、ずれ量ｍは、表示像１２０４の縦線１２１０の幅と横線１２１１の幅であるｔの半分の値（ｔに０．５を乗算した値）を超え、かつ、ｔ以下である。
【００３７】
図４（ｂ）は、第１のフォント処理後の表示例を示す図である。また、図４（ｃ）は、第２のフォント処理後の表示例を示す図である。ずれ量ｍがｔの半分の値を超え、かつ、ｔ以下である場合、制御部２００のフォント処理部２２０は、入力されたずれ量ｍに応じて、まず、図４（ｂ）にて説明される第１のフォント処理を行い、その後、図４（ｃ）にて説明される第２のフォント処理を行う。詳細には、フォント処理部２２０は、ずれ量ｍがｔの半分の値を超え、かつ、ｔ以下である場合に、横線の幅を２ｔ−Ｔだけ細くし、縦線１２１０の幅を２ｍ−ｔだけ太くした表示像１２０４を生成する。
【００３８】
第１のフォント処理により、横線（第１の像）１２１１の幅は、Ｔ−ｔ（すなわち、ずれ量ｍ）となる。また、横線１２１１は、上方のゴースト像１２０３と一体で２ｍの幅（ずれ量ｍを２倍した幅）で視認される。また、第２のフォント処理により、縦線（第２の像）１２１０の幅が、２ｍ−ｔだけ太くされる。そして、縦線１２１０の幅は、２ｍとなる。これによって、縦線１２１０は、ゴースト像１２０３と一体で表示される横線１２１１の幅と同じ幅で視認されるようになり、運転者に与える違和感を少なくできる。
【００３９】
次に、ずれ量ｍが、縦線１２１０の幅と横線１２１１の幅であるｔの値を超える場合のフォント処理について図５（ａ）、図５（ｂ）、図６（ａ）、図６（ｂ）を用いて説明する。なお、文字の形状が複雑な場合（例えば、文字が漢字やひらがなである場合）に、図５（ａ）、図５（ｂ）、図６（ａ）、図６（ｂ）に示されるフォント処理を行うようにしても良い。
【００４０】
図５（ａ）は、フォント処理前の表示例を示す図である。図５（ａ）に示される例では、表示像１２０４に対してゴースト像１２０３が、ずれ量ｍだけ上方にずれて視認される。図５（ａ）に示される例では、ずれ量ｍは、表示像１２０４の縦線１２１０の幅と横線１２１１の幅であるｔの値を超え、表示像１２０４の横線１２１１とゴースト像１２０３との間に、高さがｓの隙間が視認される。
【００４１】
ずれ量ｍがｔの値を超える場合、制御部２００のフォント処理部２２０は、入力されたずれ量ｍに応じて、まず、図５（ｂ）にて説明される第１フォント処理を行い、その後、図６（ａ）にて説明される第２のフォント処理を行い、最後に、図６（ｂ）にて説明される第３のフォント処理を行う。
【００４２】
図５（ｂ）は、第１のフォント処理後の表示例を示す図である。また、図６（ａ）は、第２のフォント処理後の表示例を示す図である。
【００４３】
フォント処理部２２０は、横線（第１の像）１２１１の幅をｓ（隙間の高さであって、Ｔ−２ｔと等しい）だけ太くする第１のフォント処理（図５（ｂ））を行い、その後、縦線（第２の像）１２１０の幅を、ｓ＋ｍ（隙間の高さと、ずれ量ｍとを加算した値）だけ太くした第２のフォント処理（図６（ａ））を行い、最後に、縦線１２１０長さが、第３のフォント処理前の長さと比較して、（ｔ＋ｓ＋ｍ）／ｔ倍の長さへと長くされ、横線１２１１の長さが、第３のフォント処理前の長さと比較して、（ｔ＋ｓ＋ｍ）／ｔ倍の長さへと長くされる第３のフォント処理（図６（ｂ））を行う。
【００４４】
図５（ｂ）、に示されるように、第１のフォント処理が行われることで、表示像１２０４の横線１２１１とゴースト像１２０３との間の隙間がなくなる。また、横線１２１１は、上方のゴースト像１２０３と一体でＴ＋ｓの幅で視認されるようになる。
【００４５】
また、図６（ａ）に示されるように、縦線１２１０の幅は、Ｔ＋ｓとなる。これによって、縦線１２１０は、ゴースト像１２０３と一体で表示される横線１２１１の幅と同じ幅で視認されるようになる。
【００４６】
ここで、縦線１２１０と、ゴースト像１２０３と一体で表示される横線１２１１の幅が、いずれもＴ＋ｓである場合、縦線１２１０および横線１２１１が太くなりすぎてしまい、文字の判読性が低下する可能性がある。そこで、第１のフォント処理と第２のフォント処理とが行われた後に、アスペクト比を調整する第３のフォント処理を行なう。
【００４７】
図６（ｂ）に示されるように、第３のフォント処理により、縦線１２１０長さが、第３のフォント処理前の長さと比較して、（ｔ＋ｓ＋ｍ）／ｔ倍の長さへと長くされる。また、横線１２１１の長さが、第３のフォント処理前の長さと比較して、（ｔ＋ｓ＋ｍ）／ｔ倍の長さへと長くされる。すなわち、制御部２００は、表示像１２０４とゴースト像１２０３とのずれ量ｍが横線の幅を超える場合に、横線の幅と縦線の幅とを太くし、横線の長さと縦線の長さとを長くした表示像１２０４を生成する。これによって、縦線１２１０は、ゴースト像１２０３と一体で表示される横線１２１１の幅と同じ幅で視認され、さらに、第１のフォント処理と第２のフォント処理を行う前の文字の形を維持することができ文字の判読性を維持できる。
【００４８】
次に、ずれ量ｍが、縦線１２１０の幅と横線１２１１の幅であるｔの半分の値以下である場合の他のフォント処理について図７（ａ）、（ｂ）を用いて説明する。
【００４９】
図７（ａ）は、フォント処理前の表示例を示す図である。図７（ａ）に示される例では、表示像１２０４に対してゴースト像１２０３が、ずれ量ｍだけずれ方向（図７（ａ）の場合は、上方）にずれて視認される。そして、表示像１２０４を構成する縦線１２１０と横線１２１１との上方には、ずれ量ｍのゴースト像１２０３が視認される。
【００５０】
図７（ｂ）は、第４のフォント処理後の表示例を示す図である。図７（ｂ）に示されるように、フォント処理部２２０による第４のフォント処理により、ゴースト像１２０３が視認される領域にグラデーション処理されたゴースト像１７００が表示される。すなわち、フォント処理部２２０が、表示像１２０４に、表示像１２０４の色から段階的に輝度を下げるグラデーション処理を行うことで、グラデーション処理されたゴースト像１７００が表示される。グラデーション処理された表示像１２０４とグラデーション処理されたゴースト像１７００を合わせた視認像は、全体としてグラデーション処理された１つの像として視認でき、運転者に与える違和感を少なくできる。
【００５１】
以下、図８（ａ）と、図８（ｂ）とを用いて、第４のフォント処理について、より詳細に説明する。図８（ａ）は、ずれが発生している領域を抽出する処理、図８（ｂ）は、グラデーション適用領域にグラデーションをかける処理を説明する図である。
【００５２】
図８（ａ）に示されるように、まず、制御部２００のフォント処理部２２０は、表示像１２０４をずれが発生している方向に、所定間隔ごとに短冊状に分割する。図８（ａ）に示される例では、ずれは、上下方向に発生している。そのため、フォント処理部２２０は、表示像１２０４を上下方向に、所定間隔ごとに短冊状に分割する。なお、フォント処理部２２０は、ずれが左右方向に発生している場合には、表示像１２０４を左右方向に所定間隔ごとに短冊状に分割する。また、フォント処理部２２０は、ずれが斜め方向に発生している場合は、表示像１２０４を斜め方向に所定間隔ごとに短冊状に分割する。
【００５３】
次に、図８（ｂ）に示されるように、フォント処理部２２０は、短冊状に分割した分割後表示像８０１から、グラデーション適用領域８０２と、グラデーション非適用領域８０３とを抽出する。なお、フォント処理部２２０は、分割後表示像８０１のうち、ズレ方向側のズレ幅ｔの領域を８０２として抽出し、それ以外の領域をグラデーション非適用領域８０３として抽出する。そして、フォント処理部２２０は、表示像１２０４から抽出したグラデーション適用領域８０２を表示像の色から段階的に輝度を下げるグラデーション表示像を生成する。
【００５４】
画像表示部１００は、制御部２００のフォント処理部２２０が上述した図３〜図８のいずれかに示される処理により生成した表示像１２０４を投影するための表示光を出射する。
【００５５】
＜全体処理＞
図９は、実施の形態１における表示装置１０の全体処理の概要を示す図である。
【００５６】
まず、Ｓ９０１にて、撮像部３０が、運転者の瞳１２０５を撮像する。
【００５７】
次に、Ｓ９０２にて、撮像部３０は、Ｓ９０１にて撮像した運転者の瞳１２０５を含む画像の画像データを制御部２００に入力する。
【００５８】
次に、Ｓ９０３にて、制御部２００の瞳位置検出部２１０は、撮像部３０から入力された画像データを解析することで瞳の位置を検出する。また、瞳位置検出部２１０は、検出した瞳の位置を特定するための瞳位置座標を算出する。そして、瞳位置検出部２１０は、算出した瞳位置座標を二重像ずれ量算出部２３０に入力する。
【００５９】
次に、Ｓ９０４にて、制御部２００の二重像ずれ量算出部２３０は、Ｓ９０３にて入力された瞳位置座標と、偏光装置２０の位置と傾き（水平面に対する傾き）と、フロントガラス１２０の傾き（水平面に対する傾き）と、フロントガラス１２０の厚さとに基づき、表示像１２０４とゴースト像１２０３とのずれ量ｍを算出する。二重像ずれ量算出部２３０は、算出したずれ量ｍをフォント処理部２２０に入力する。
【００６０】
次に、Ｓ９０５にて、制御部２００のフォント処理部２２０は、Ｓ９０４にて入力されたずれ量ｍが、文字の幅（ｔ）を超えるか否かを判定する。制御部２００のフォント処理部２２０が、ずれ量ｍが文字の幅（ｔ）を超えないと判定する場合（Ｓ９０５−Ｎｏ）、Ｓ９０７へ進む。一方、制御部２００のフォント処理部２２０が、ずれ量ｍが文字の幅（ｔ）を超えると判定する場合（Ｓ９０５−Ｙｅｓ）、Ｓ９０６へ進む。
【００６１】
次に、Ｓ９０６にて、制御部２００のフォント処理部２２０は、横線１２１１の幅をｓ（隙間の高さであって、Ｔ−２ｔと等しい）だけ太くした第１のフォント処理（前述、図５（ｂ））を行う。また、フォント処理部２２０は、縦線１２１０の幅を、ｓ＋ｍ（隙間の高さと、ずれ量ｍとを加算した値）だけ太くした第２のフォント処理（前述、図６（ａ））を行う。また、フォント処理部２２０は、縦線１２１０長さが、第３のフォント処理前の長さと比較して、（ｔ＋ｓ＋ｍ）／ｔ倍の長さへと長くされ、横線１２１１の長さが、第３のフォント処理前の長さと比較して、（ｔ＋ｓ＋ｍ）／ｔ倍の長さへと長くされる第３のフォント処理（前述、図６（ｂ））を行う。
【００６２】
Ｓ９０５にてＮｏだった場合、Ｓ９０７にて、制御部２００のフォント処理部２２０は、Ｓ９０４にて入力されたずれ量ｍが、文字の幅（ｔ）を０．５倍した値を超え、かつ、文字の幅（ｔ）以下か否かを判定する。制御部２００のフォント処理部２２０が、ずれ量ｍが文字の幅（ｔ）の０．５倍を超え、かつ、文字の幅（ｔ）以下でないと判定する場合（Ｓ９０７−Ｎｏ）、Ｓ９０９へ進む。一方、制御部２００のフォント処理部２２０が、ずれ量ｍが文字の幅（ｔ）の０．５倍を超え、かつ、文字の幅（ｔ）以下であると判定する場合（Ｓ９０７−Ｙｅｓ）、Ｓ９０８へ進む。
【００６３】
次に、Ｓ９０８にて、フォント処理部２２０は、第１のフォント処理（前述、図４（ｂ））を行い、その後、第２のフォント処理（前述、図４（ｃ））を行う。詳細には、フォント処理部２２０は、横線の幅を２ｔ−Ｔだけ細くし、縦線１２１０の幅を２ｍ−ｔだけ太くした表示像１２０４を生成する。
【００６４】
Ｓ９０７にてＮｏだった場合、Ｓ９０９にて、制御部２００のフォント処理部２２０は、Ｓ９０４にて入力されたずれ量ｍが、０ではなく文字の幅（ｔ）を０．５倍した値以下か否かを判定する。制御部２００のフォント処理部２２０が、ずれ量ｍが０、すなわちずれがないと判定する場合（Ｓ９０９−Ｎｏ）、フォント処理部２２０での処理を実施せず、Ｓ９１１へ進む。一方、制御部２００のフォント処理部２２０が、ずれ量ｍが０ではなく文字の幅（ｔ）を０．５倍した値以下であると判定する場合（Ｓ９０９−Ｙｅｓ）、Ｓ９１０へ進む。
【００６５】
次に、Ｓ９１０にて、フォント処理部２２０は、横線の幅をずれ量ｍだけ細くした表示像１２０４を生成する。または、フォント処理部２２０は、縦線の幅をずれ量ｍだけ太くした表示像１２０４を生成する。
【００６６】
最後に、Ｓ９１１にて、画像表示部１００は、制御部２００のフォント処理部２２０が上述したＳ９０６、Ｓ９０８、Ｓ９１０のいずれかの処理により生成した表示像１２０４を投影するための表示光を出射する。
【００６７】
＜実施の形態１の効果＞
以上説明した実施の形態１における表示装置１０によれば、制御部２００が、表示像１２０４とゴースト像１２０３とのずれ量に応じて、表示像１２０４に含まれる横線１２１１および縦線１２１０の少なくともいずれか一方の幅を変化させた表示像１２０４を生成することで、ヘッドアップディスプレイの表示エリアが大画面化した場合でも、二重像を目立ちにくくさせることができ、表示装置１０により投影される表示像１２０４の視認性を向上できる。
【００６８】
また、制御部２００が、表示像１２０４とゴースト像１２０３とのずれ量が横線１２１１の幅を超えない場合に、縦線１２１０の幅をずれ量だけ太くした表示像１２０４を生成することで、ゴースト像１２０３と一体で表示される横線１２１１の幅が、縦線１２１０の幅と同じ幅で視認されるようになり、運転者に与える違和感を少なくできる。
【００６９】
また、制御部２００が、表示像１２０４とゴースト像１２０３とのずれ量が横線１２１１の幅を超えない場合に、横線１２１１の幅をずれ量だけ細くした表示像１２０４を生成することで、ゴースト像１２０３と一体で視認される表示像１２０４の外観を、フォント処理前の表示像１２０４の外観から変化させることなく、運転者に与える違和感を少なくできる。
【００７０】
また、制御部２００が、表示像１２０４とゴースト像１２０３とのずれ量が横線１２１１の幅を超える場合に、横線１２１１の幅と縦線１２１０の幅とを太くし、横線１２１１の長さと縦線１２１０の長さとを長くすることで、運転者に与える違和感を少なくしつつ、文字の判読性が向上する。
【００７１】
また、制御部２００が、表示像１２０４の色からずれ方向に段階的にまたは連続的に輝度が下がるように変化させた、グラデーション処理した表示像１２０４を生成することで、二重像を目立ちにくくさせることができる。
（実施の形態２）
実施の形態２のヘッドアップディスプレイは、上下方向に移動可能な光学素子４０をさらに有する点で実施の形態１のヘッドアップディスプレイと異なる。以下、実施の形態２を実施の形態１と異なる点を主に図１０〜図１４を用いて説明する。
【００７２】
図１０は、二重像が発生する従来のヘッドアップディスプレイの構成例の概要を示す図である。図１０に示されるように、表示装置１は、生成した表示光１１，１２をミラーなどで構成される偏光装置２０へと射出する。
【００７３】
表示装置１０が射出した表示光１１，１２は、偏光装置２０へ入射する。その後、偏光装置２０へ入射した表示光１１，１２はフロントガラスに向けて反射される。そして、偏光装置２０により反射される表示光１１，１２は、内側ガラス１２０２へと入射する。
【００７４】
ここで、図１０に示される例では、表示光１２がフロントガラス１２０の内側ガラス１２０２へ入射する入射角はθであり、表示光１１が内側ガラス１２０２に入射する入射角はθ１である。そして、図１０に示される例では、θとθ１とが異なるため、Δθ（θ−θ１）の値が「０」ではない。そのため、瞳１２０５に到達する光路が２つあり、運転者は表示像１２０４とゴースト像１２０３とを上下に二重に重ねて視認してしまう。
【００７５】
図１１〜図１３は、実施の形態２におけるヘッドアップディスプレイの構成例の概要を示す図である。図１１〜図１３に示されるように、実施の形態２におけるヘッドアップディスプレイは、表示装置１０と、偏光装置２０と、上下方向に移動可能な光学素子４０とを有する。
【００７６】
表示装置１０が射出した表示光１１，１２は、偏光装置２０へ入射する。その後、偏光装置２０へ入射した表示光１１，１２は光学素子４０に向けて反射される。光学素子４０を透過する表示光１１，１２は、方向を変化させられて光学素子４０から出射される。光学素子４０から出射された表示光１１，１２は、内側ガラス１２０２へと入射する。
【００７７】
光学素子４０は、入射する表示光１１，１２を異なる角度で方向を変化させて出射する。光学素子４０は、例えば上下方向に移動可能な保持部材（不図示）により保持される。そして、光学素子４０は、保持部材がモータの回転動力により上下方向に移動させられることで、上下方向に平行移動可能となっている。
【００７８】
図１１に示される状態から図１２に示される状態へと、光学素子４０が、下方に平行移動させられた場合、光学素子４０と偏光装置２０との間の距離が短くなる。すると、図１１に示される下方に平行移動させられる前との状態と比較して、図１２に示される状態では、表示光１１、１２は、運転者の瞳１２０５方向の光学素子４０の面から出射される。そのため、図１１に示される下方に平行移動させられる前の状態と比較して、図１２に示される状態では、表示光１１，１２は、フロントガラス１２０の上方で反射する。すなわち、下方に平行移動させられる前と比較して、表示光１２は、内側ガラス１２０２のより上方で反射される。また、下方に平行移動させられる前と比較して、表示光１１は、外側ガラス１２００のより上方で反射される。
【００７９】
一方、図１２に示される状態から図１３に示される状態へと、光学素子４０が、上方に平行移動させられた場合、光学素子４０と偏光装置２０との間の距離が長くなる。すると、図１２に示される上方に平行移動させられる前の状態と比較して、図１３に示される状態では、表示光１１、１２は、運転者の瞳１２０５とは逆方向の光学素子４０の面から出射される。そのため、図１２に示される上方に平行移動させられる前の状態と比較して、図１３に示される状態では、表示光１１，１２は、フロントガラス１２０の下方で反射される。一方、上方に平行移動させられる前と比較して、表示光１１は、外側ガラス１２００のより下方で反射される。これによって、運転者の瞳１２０５の高さを変えることができ、視点の高さが異なるユーザに対して、同等の位置に文字や記号などの表示像を表示することが可能になる。
【００８０】
ここで、図１１に示されるように、表示光１２の内側ガラス１２０２での反射光と、表示光１１の外側ガラス１２００での反射光が重なり運転者の瞳１２０５に入射されるように光学素子４０を挿入することで二重像の発生を防止できる。
【００８１】
図１４は、実施の形態２におけるヘッドアップディスプレイの構成例の概要を示す図である。図１４に示されるように、ヘッドアップディスプレイは、表示装置１０と、撮像部３０と、光学素子４０とを有する。
【００８２】
表示装置１０は、画像表示部１００と、制御部２００と、記憶部３００とを有する。また、制御部２００は、瞳位置検出部２１０と、二重像ずれ量算出部２３０と、光学素子制御部２４０とを有する。
【００８３】
表示装置１０の記憶部３００には、瞳１２０５の位置を特定するための三次元座標である瞳位置座標と、二重像が発生しない光学素子４０の高さ（光学素子４０の高さとは、例えば、自動車が走行している路面から光学素子４０までの高さである）とが対応付けて記憶されている。すなわち、表示装置１０には、瞳位置座標と、θとθ１とが等しくなる光学素子の高さとが対応付けて記憶されている。
【００８４】
撮像部３０は、撮像した運転者の瞳１２０５を含む画像の画像データを制御部２００に入力する。撮像部３０が制御部２００に入力した画像データは、制御部２００の瞳位置検出部２１０に入力される。
【００８５】
制御部２００の瞳位置検出部２１０は、撮像部３０から入力された運転者の瞳を含む画像の画像データを解析することで瞳の位置を検出する。また、瞳位置検出部２１０は、検出した瞳の位置を特定するための瞳位置座標を算出する。そして、瞳位置検出部２１０は、算出した瞳位置座標（瞳の位置を特定するための三次元座標）を光学素子制御部２４０に入力する。なお、画像データを解析することで瞳の位置を検出ことに替えて、瞳位置検出部２１０は、車両のミラー（バックミラー）の取付位置（ミラーが取り付けられる位置を特定するための三次元座標）と、水平面を基準とするミラーの上下方向の角度と、ミラーと直交する垂直面を基準とするミラーの左右方向の角度と基づいて瞳位置座標を算出しても良い。
【００８６】
制御部２００の光学素子制御部２４０は、瞳位置検出部２１０から入力された瞳位置座標と対応する、二重像が発生しない光学素子４０の高さを記憶部３００から取得する。
【００８７】
光学素子制御部２４０は、記憶部３００から取得した光学素子４０になるように、光学素子４０を移動させる。これによって、光学素子４０は、二重像が発生しない高さまで移動される。
【００８８】
なお、制御部２００は必ずしも表示装置１０が有している必要がなく、表示装置１０とは別個にヘッドアップディスプレイが有するようにしても良い。
【００８９】
また、瞳１２０５の位置を特定するための三次元座標と、ミラーが取り付けられる位置を特定するための三次元座標とは、例えば、フロントガラス１２０の中心やハンドルの中心などを原点とする。
【００９０】
＜実施の形態２の効果＞
以上説明した実施の形態２におけるヘッドアップディスプレイによれば、制御部２００が、瞳位置情報に基づき、光学素子４０の高さを二重像が発生しない位置まで移動させることで、二重像が発生しなくなり、表示装置１０により投影される表示像１２０４の視認性が向上する。
【００９１】
以上、本発明者によってなされた発明を実施の形態に基づき具体的に説明したが、本発明は前記実施の形態に限定されるものではなく、その要旨を逸脱しない範囲で種々変更可能であることはいうまでもない。例えば、上記した実施の形態は本発明を分かりやすく説明するために詳細に説明したものであり、必ずしも説明した全ての構成を備えるものに限定されるものではない。また、ある実施の形態の構成の一部を他の実施の形態の構成に置き換えることが可能であり、また、ある実施の形態の構成に他の実施の形態の構成を加えることも可能である。また、各実施の形態の構成の一部について、他の構成の追加・削除・置換をすることが可能である。
【００９２】
また、上記の各構成、機能、処理部、処理手段等は、それらの一部又は全部を、例えば集積回路で設計する等によりハードウェアで実現してもよい。また、上記の各構成、機能等は、プロセッサがそれぞれの機能を実現するプログラムを解釈し、実行することによりソフトウェアで実現してもよい。各機能を実現するプログラム、テーブル、ファイル等の情報は、メモリや、ハードディスク、ＳＳＤ（Ｓｏｌｉｄ  Ｓｔａｔｅ  Ｄｒｉｖｅ）等の記録装置、または、ＩＣカード、ＳＤカード、ＤＶＤ等の記録媒体に置くことができる。
【符号の説明】
【００９３】
１０…表示装置、
２０…偏光装置、
３０…撮像部、
４０…光学素子、
１００…画像表示部、
２００…制御部、２１０…瞳位置検出部、２２０…フォント処理部、２３０…二重像ずれ量算出部、２４０…光学素子制御部、
３００…記憶部。
【図１】
2017056217.tif 000003
【図２】
2017056217.tif 000004
【図３】
2017056217.tif 000005
【図４】
2017056217.tif 000006
【図５】
2017056217.tif 000007
【図６】
2017056217.tif 000008
【図７】
2017056217.tif 000009
【図８】
2017056217.tif 000010
【図９】
2017056217.tif 000011
【図１０】
2017056217.tif 000012
【図１１】
2017056217.tif 000013
【図１２】
2017056217.tif 000014
【図１３】
2017056217.tif 000015
【図１４】
2017056217.tif 000016
【国際調査報告】
2017056217.tif 000017
2017056217.tif 000018
2017056217.tif 000019
2017056217.tif 000020
2017056217.tif 000021
2017056217.tif 000022